(57)【特許請求の範囲】
【請求項１】
ケーブルを導入する筒状のスリーブ１内にケーブル把持金具４と、該ケーブル把持金具４に固定したケーブルから導出されるケーブル心線の心線接続部と、該心線接続部に連なるケーブル心線余長の収納部とを備えたケーブル接続用クロージャにおいて、前記スリーブ１の巾方向に多数並列配備される心線接続用コネクタ保持部のある心線接続部収納トレイ１０をスリーブの巾方向に固設したレール１２に摺動自在に設けてあり、該レール１２が、スリーブ１に固定した連結体８に立設した支片１３の上下に間隔をあけて複数スリーブ巾方向で水平に設けられ、各レール１２に心線接続部収納トレイ１０をそれぞれ嵌装配備したものであって、該心線接続部収納トレイ１０を分割拡開されるスリーブ１の外側に引出し移動位置させ、心線接続部収納トレイ１０に収納された心線のうち所望の心線を取出してコネクタ接続し心線接続部収納トレイ１０のコネクタ保持部１１に収納することを特徴とするケーブル接続用クロージャ。
【請求項２】
前記心線接続部収納トレイが、スリーブ巾方向に仕切リブ１１１  を間隔をあけて複数並設してコネクタ保持部１１を複数形成したものであって、該コネクタ保持部１１の両側壁に心線導出入用スリット１４を設け、かつ該トレイ上面に嵌脱可能の収納部蓋１５を備えている請求項１記載のクロージャ。
【請求項３】
前記心線接続部収納トレイ１０が、レール嵌挿凹溝１６を下方部に備え、該嵌挿凹溝１６の挿入部と終端部とにレール端との係止片１７，１８を突設したものである請求項１または２記載のクロージャ。
【請求項４】
前記レール１２が、中央に長孔１２１  を有し一端に折曲げブラケット部１２３  を備え、他端に係止爪部１２２  を備えていて、前記心線接続部収納トレイ１０の係止片１７，１８を係脱する脱落防止構造となっている請求項２または３記載のクロージャ。
【請求項５】
前記スリーブ１内に配備される一対のケーブル把持金具４が、上下の連結体８，８１  で一体に成形されたフレームからなりスリーブ１に着脱自在に固定した構成とすることを特徴とした請求項２，３または４記載のケーブル接続用クロージャ。
【発明の詳細な説明】
【０００１】
【発明の属する技術分野】
本発明は、光ケーブルなどの通信ケーブルの接続部を保護するためのクロージャ、特に光ケーブル用クロージャの改良に関するものである。
【０００２】
【従来の技術】
一般に、ケーブル接続用クロージャは、接続部を保護する収容体が用いられ、この収容体はケーブルを貫通して取付けられた端面板間に前記接続部をかぶせて収容する縦割りの筒状のスリーブとからなり、ケーブル接続部を気密または水密に保護する構造のものが多用されている。
【０００３】
【発明が解決しようとする課題】
従来のケーブルの接続部を保護する収容体では、ケーブルの分岐、引込，接続等を行う場合に、ケーブル心線の接続部の余長を収納するために多数枚の収納トレイを多段に積み重ねた接続箱を用いていて、心線相互をコネクタなどで接続し、心線の接続余長をループ状に巻いてコネクタを収納トレイ内に収納しているが接続箱内のコネクタやケーブル心線の余長状況を確認しにくい不便があると共に、多数心線の接続作業やそれぞれの収納トレイの取扱いも煩雑であって、かつ構成も複雑であるなどの問題があった。
本発明は、これら従来の欠点を排除しようとするもので、ケーブル接続部の取扱いを簡便化しケーブル接続の作業性を大幅に向上できるケーブル接続用クロージャを構成簡単で安価な形態で提供することを目的とするものである。
【０００４】
【課題を解決するための手段】
本発明は、ケーブルを導入する筒状のスリーブ内にケーブル把持金具と、該ケーブル把持金具に固定したケーブルから導出されるケーブル心線の心線接続部と、該心線接続部に連なるケーブル心線余長の収納部とを備えたケーブル接続用クロージャにおいて、前記スリーブの巾方向に多数並列配備される心線接続用コネクタ保持部のある心線接続部収納トレイをスリーブの巾方向に固設したレールに摺動自在に設けてあり該レールが、スリーブに固定した連結体に立設した支片の上下に間隔をあけて複数スリーブ巾方向で水平に設けられ、各レールに心線接続部収納トレイをそれぞれ嵌装配備したものであって、該心線接続部収納トレイを分割拡開されるスリーブの外側に引出し移動位置させ、心線接続部収納トレイに収納された心線のうち所望の心線を取出してコネクタ接続し心線接続部収納トレイのコネクタ保持部に収納するものである。
【０００５】
【発明の実施の形態】
本発明の実施形態の心線接続作業では、分割スリーブを開いて心線接続部収納トレイをスリーブ外に移動し蓋を外して多心ケーブル外被を固定する把持金具間の心線を露呈してこれに接続する心線相互をコネクタによって接続し、該コネクタ或いはコネクタを複数サブユニットに入れたものをスリーブ外に移動した心線接続部収納トレイのコネクタ保持部に収納係止するので心線の接続作業や接続状況の確認を容易に行うことができる。
また、心線接続部収納トレイはスリーブの巾方向に移動するので、心線余長を収納するため接続作業終了後に心線にたるみが生じないし、伝送特性に悪影響を与えない配線整理ができ、余長取扱い作業も著しく簡便化できる。
なお、分割スリーブはヒンジ機構で連結しておき、ケーブルを端面板から挿通してスリーブ内の接続機構に接続して、スリーブをヒンジ機構を中心として回動して端面板を押しつけつつかぶせ、分割スリーブ相互を押さえつけて組立てられてクロージャとして安全に用いられ、また連結を解くとスリーブをヒンジ中心に容易に回転させスリーブを開き内部の接続作業を簡便にできるものである。
【０００６】
【実施例】
本発明を図１乃至図６に示す筒状のスリーブ１と、スリーブの側面嵌合部２に嵌装された端面板３とを備えたクロージャの例で説明すると、端面板３，３に、幹線光ケーブルが貫通されてケーブル把持金具４で固定され、かつ、該ケーブルのテンションメンバが、テンションメンバ把持金具５に接続連結されている。前記スリーブ１は、筒状のハウジングで、軸方向に沿ってヒンジ部１１  で二つ割りに分割できるようにしたもので、合成樹脂、例えばＰＰ樹脂或いはガラス繊維を充填した難燃性のＦＲＰＰ或いは熱可塑性エラストマーなどから構成され、軸方向に縦割りに二分割する突き合わせ接合面と、該スリーブ１の両端に、嵌装される端面板３、例えば耐候性、耐オゾン性等の諸特性に優れたＥＰＤＭなどのゴム板材とを備えてある。そしてスリーブ１内ではスリーブ１の巾方向に多数並列配備される心線接続用コネクタ保持部１１のある心線接続部収納トレイ１０がスリーブ１に巾方向に固設したレール１２に摺動自在に設けられ、さらに該レール１２が、スリーブ１に固定した連結体８に立設した支片１３の上下に間隔をあけて複数スリーブ巾方向で水平に設けられて、各レール１２に心線接続部収納トレイ１０をそれぞれ嵌装配備したものであって、該心線接続部収納トレイ１０を分割拡開されるスリーブ１の外側に引出し移動位置させ、心線接続部収納トレイ１０に収納された心線のうち所望の心線を取出してコネクタ接続し心線接続部収納トレイ１０のコネクタ保持部１１に収納する構成としたクロージャとしてある。
【０００７】
前記心線接続部収納トレイ１０としては、コネクタを嵌装するか或いは複数のコネクタを入れたサブユニットを嵌装するかしてあり、スリーブ巾方向に仕切リブ１１１  を複数間隔をあけて並設してコネクタ保持部１１を複数形成したものであって、該コネクタ保持部１１の両側壁に心線導出入用スリット１４を設け、かつ該トレイ上面に嵌脱可能の収納部蓋１５を備えていて中央下方部にレールの嵌挿凹溝１６を形成してある。
【０００８】
また、前記心線接続部収納トレイ１０は、スリーブ軸方向の中央部に配置されるものであって、トレイ底板の下側とトレイ外側板とスリーブ両端の端面板との間にケーブル心線余長空間をそれぞれ形成したもので、レール１２の嵌挿凹溝１６を底部に備え、該嵌挿凹溝１６の挿入部と終端部とにレール端との係止片１７，１８を突設してある。
【０００９】
なお、前記レール１２は、中央に長手方向に長孔１２１  を有し一端に折曲げブラケット部１２３  を備え、かつ他端に係止爪部１２２  を備え、前記折曲げブラケット１２３  によって支片１３に固着し、前記心線接続部収納トレイ１０の係止片１７，１８を嵌挿して前記心線接続部収納トレイ１０のレール１２からの脱落防止構造となっている。
【００１０】
さらに、スリーブ１には前記端面板３に対向するスリーブ内面側に、ケーブル外周に沿う押え挾持片からなるケーブル把持金具４の一対がそれぞれ、テンションメンバ把持金具５および支持線把持金具７を備え、上下を連結体８，８１  で一体に成形されたフレームとして固定装備し、さらに分割スリーブ１の対向接合面を締結するバックル３０を備えてあるが、必要に応じ前記スリーブ１の外周にバンドを着脱自在に巻回配備し、分離面での密封性が高められて連結できるようにしてもよい。
【００１１】
前記スリーブ１は、分割可能の形態としてあるが端面板３間のクロージャ内の気密性を維持できるようにしてあり、互いに対向した接合面を固定手段で連結一体化できるようにしてある。
また、前記端面板３としては、小判形或いは楕円形、円形などのゴム弾性体からなり、複数のケーブル挿通孔２０にそれぞれ薄肉キャップ部またはスリットを有し、該薄肉キャップ部またはスリットを選択的に切除開口して貫通孔として用いクロージャの内外に貫通するようにしてある。
なお、前記ケーブル挿通孔２０、２０で形成される貫通孔またはケーブル導出孔には、ゴム製などでのスペーサ、或いはエアタイトテープを巻き付けてケーブルの外周面を密着できるようにすることが配慮されている。
【００１２】
さらに、前記ケーブル把持金具４としては、連結体８，８１  と一体型、或いは別部材の連結タイプとし、図３のようにケーブル挿通凹部のある受具にケーブル外周に沿う彎曲保持片４１  をピンで回動自在に設けて開閉させて、ネジ２４でケーブルを挾持固定化するようにしてケーブル把持が簡便にできるようにしてある。なお、前記弯曲保持片４１  は、受具に着脱自在に設けた脱着構造とすることもできる。また、ケーブル吊垂金具２３でスリーブ１内の連結片８１  を嵌装してケーブル及び支持線を架装しやすくすることも配慮されている。
この場合、スリーブ１の両端にある前記端面板３に対設される一対のケーブル把持金具４，４は上下連結体８，８１  で一体成形されたフレームで構成してスリーブ１内にワンタッチで固着されるが、スリーブ１の突き合せ端縁に係止嵌合部２５，２５１  を対設してスリーブ１，１を閉塞したときに係合され、さらにバックル３０で二重ロックできる構成としてある。
【００１３】
また、テンションメンバ把持金具５に取付けたケーブルテンションメンバは、アームで支持した線体挿入部にネジを介して取付けられ、スリーブ１内に固着されてケーブルを保持する。即ち、ケーブル把持金具４を必要なスペーサを用いてケーブル外被に装着し、締結ボルトにより所定トルクで締結してからテンションメンバをテンションメンバ把持金具５の貫通孔に挿入し締結ねじにて固着してある。
このような構造の接続部を組み立てる場合、各ケーブルにスペーサを挿入し、或いはケーブルシール材を巻き付け、ケーブルの端部の外被をケーブル把持金具４と、弯曲保持片４１  及びネジ２４とにより固定したのち、端面板３の接合面にシール材及びスリーブ１の接合面にガスケットを介して分割スリーブ１、１の接合面を突き合わせて、係止嵌合部で仮止め封塞し、該スリーブの外周にあるバックル３０を締め付けて二重口ロック状態で固定するもので、順次所定間隔ごとにバックル３０の取付けと、締め付けを繰り返してスリーブ１の全長にわたって気密維持を強固にし信頼性の高い密封構造にすることができる。
なお、この組立状態において、接合面間にはスリーブガスケットが径方向に圧縮されていることで、比較的小さい挾持力で高い気密性を保持することができ、また端面板３とケーブルとの間にはスペーサが、ケーブル長さ方向に介在されシール材があって、スリーブ１、１の姿勢が安定すると共に、組立てを容易にするし、気密性を著しく向上できる。このスリーブガスケットは、断面形状を長方形として角部に丸味をつけて、上下面に凹溝を形成してリップ効果を持たせるようにし、組立性・気密性の向上を図ることが考慮されている。
【００１４】
一方、前記スリーブ１，１の締結状態を解除するときには、締結具のバックル３０の締結を解除して端面板３からスリット開き、スリーブ１の接合面を離間して分割すれば、ケーブルの交換も容易にすることができる。
【００１５】
【発明の効果】
本発明は、ケーブルを導入する筒状のスリーブ内にケーブル把持金具と、該ケーブル把持金具に固定したケーブルから導出されるケーブル心線の心線接続部と、該心線接続部に連なるケーブル心線余長の収納部とを備えたケーブル接続用クロージャにおいて、前記スリーブの巾方向に多数並列配備される心線接続用コネクタ保持部のある心線接続部収納トレイがスリーブに巾方向に上下２段に固設したレールにそれぞれ摺動自在に設けたことにより、心線接続作業では、分割スリーブを開いて心線接続部収納トレイを分割拡開されるスリーブ外に移動位置させ、心線接続部収納トレイに収納された心線のうち所望の心線を取出してコネクタ接続し、心線の接続余長をサブトレイに集束保持させつつコネクタを心線接続部収納トレイのコネクタ保持部に収納係止するので、上下に分けて心線の接続作業や接続状況の確認を容易に行うことができケーブル接続の処理作業性を大巾に向上できる。
また、心線接続部収納トレイはスリーブの形態で巾方向に移動するので心線接続処理の取扱い容易とし安全性を高められ、しかも心線余長を収納するための接続作業終了後に心線にたるみが生じないし、伝送特性に悪影響を与えない配線整理ができ、余長取扱い作業も著しく簡便化できる。
しかもスリーブ内での心線接続部並びに心線余長の整理保管が信頼性高く、密封を確保できると共に、スリーブの姿勢も安定して取扱い良好で、組立作業の容易化に役立ち、接続固定も楽に安全に行え、コストの点でも優れ、ケーブル接続用クロージャの構成も簡単で安価な形態にすることができる。
【図面の簡単な説明】
【図１】  本発明の実施例を示す一部切断側面図である。
【図２】  図１のＡ−Ａ線における切断正面図である。
【図３】  図１の例の一使用状態の展開斜視図である。
【図４】  図１の例の蓋を分離した接続部収納トレイで、（ａ）は平面図、（ｂ）は側面図、（ｃ）は正面図、（ｄ）は背面図、（ｅ）は中央縦断面図、（ｆ）はＢ−Ｂ線における切断正面図である。
【図５】  図１の例の作動状態を示す正面図で、（ａ）は一方の接続部収納トレイの移動状態を示
し、（ｂ）は両方の接続部収納トレイの移動状態を示す。
【図６】  図５のＣ−Ｃ線における拡大切断平面図である。
【符号の説明】
１  スリーブ
１１  ヒンジ部
２  嵌合部
３  端面板
４  ケーブル把持金具
４１  弯曲保持片
５  テンションメンバ把持金具
６  支台部
７  支持線把持金具
８  連結体
９  サブユニット
１０  心線接続部収納トレイ
１１  コネクタ保持部
１１１  仕切リブ
１２  レール
１２１  長孔
１２２  係止爪部
１２３  折曲げブラケット部
１３  支片
１４  スリット
１５  収納部蓋
１６  嵌挿凹溝
１７，１８  係止片
【図１】
0003718554.tif 000002
【図２】
0003718554.tif 000003
【図３】
0003718554.tif 000004
【図４】
0003718554.tif 000005
【図５】
0003718554.tif 000006
【図６】
0003718554.tif 000007